(57)【要約】      （修正有）【課題】集合写真の背景の一部に欠席者の顔写真を、欠席者の数に拘わらずはめ込むとともに、はめ込み用画像の被はめ込み用画像との境界領域におけるジャギ（ギザギザ）の発生を抑制できる写真処理装置を提供する。【解決手段】写真処理装置Ａは、被はめ込み用第１画像Ｘに対して、はめ込み枠９６ａ’を含むテンプレート９６ａを作成するテンプレート作成手段９６、読取手段６２，９２、記憶手段９３、被はめ込み用第２画像Ｙ１，Ｙ２について、はめ込み領域Ｙ１’，Ｙ２’を指定する画像領域指定手段９７、及び画像Ｘについて、テンプレート９６ａの枠９６ａ’に画像Ｙ１，Ｙ２の領域Ｙ１’，Ｙ２’をはめ込み合成処理するとともに、テンプレート９６ａの領域Ｙ１’，Ｙ２’がはめ込まれない枠については、当該枠内の画像Ｘをそのまま維持し、且つ、境界領域Ｐを半透明化合成処理する画像合成手段９８を備えている。【選択図】    図９
2005033532.tif 000002
【特許請求の範囲】
【請求項１】
被はめ込み用の第１画像に対して、複数のはめ込み位置にそれぞれ対応する複数のはめ込み枠を含むテンプレートを作成するテンプレート作成手段と、
前記第１画像及びはめ込み用の第２画像を読み取る読取手段と、
前記読取手段にて読み取られた前記第１画像を記憶するとともに前記読取手段にて読み取られた前記第２画像を１又は２以上記憶する記憶手段と、
前記記憶手段にて記憶された前記第２画像のそれぞれについて、前記はめ込み枠にはめ込むためのはめ込み領域を指定する画像領域指定手段と、
前記記憶手段にて記憶された前記第１画像について、前記テンプレート作成手段にて作成された前記テンプレートのうち少なくとも一つの前記はめ込み枠に、前記記憶手段にて記憶され、前記画像領域指定手段にて指定された前記第２画像の前記はめ込み領域をはめ込み合成処理するとともに、前記テンプレートの前記はめ込み枠のうち、前記第２画像における前記はめ込み領域がはめ込まれない枠については、当該はめ込まれない枠内の前記第１画像をそのまま維持し、且つ、前記第１画像と前記第２画像の前記はめ込み領域との境界領域を半透明化合成処理する画像合成手段とを備えていることを特徴とする写真処理装置。
【発明の詳細な説明】
【０００１】
【発明の属する技術分野】
本発明は、写真処理装置に関する。
【０００２】
【従来の技術】
学校などの団体行事において、例えば、集合写真を撮影する際には、その撮影の際に、どうしても欠席してしまう人がいる。このような欠席者のいる集合写真において、団体構成員の全員が写っている必要がある場合、例えば、アルバム等に掲載する場合等には、その集合写真に欠席者の顔写真を追加する必要がある。
【０００３】
例えば、従来の写真処理装置において、欠席者のいる集合写真（被はめ込み用画像）及び欠席者の顔写真（はめ込み用画像）を読み取り、この集合写真の背景の一部（被はめ込み用画像の一部）に欠席者の顔写真（はめ込み用画像）を追加する処理が行われる。このような処理を行う手法として、集合写真（被はめ込み用画像）に対して、例えば、一つの枠、二つの枠、三つの枠といった欠席者の数に合わせた枠がそれぞれ設けられた１名用のテンプレート、２名用のテンプレート、３名用のテンプレートといった複数のテンプレートを準備しておき、このうち欠席者の数に合ったテンプレートを選択して、その枠内に欠席者の顔写真（はめ込み用画像）をはめ込む処理を行う手法がある。
【０００４】
【発明が解決しようとする課題】
ところが、このような従来の写真処理装置は、既述のとおり、欠席者の数に合わせた複数の枠を設けた複数のテンプレートを準備しておく構成になっているので、欠席者の数によっては、準備しておいたテンプレートでは枠の数が足りないことがあり、この場合、集合写真の背景の一部（被はめ込み用画像の一部）に欠席者全員の顔写真（はめ込み用画像）をはめ込むことができない。また、従来の写真処理装置は、選択したテンプレートの枠の数に対して欠席者の数が少ない場合には、集合写真（被はめ込み用画像）のはめ込まれるべき枠が空白になってしまうような構成になっている。
【０００５】
また、前記の問題とは別に次のような問題がある。すなわち、集合写真の背景の一部（被はめ込み用画像の一部）に欠席者の顔写真（はめ込み用画像）をはめ込む場合には、楕円形状やひし形状のように、はめ込む画像の形状によっては、はめ込み用画像の被はめ込み用画像との境界領域において、ジャギ（ギザギザ）が発生し、はめ込み用画像の輪郭に滑らかさを欠くことがあり、従って、はめ込み用画像が被はめ込み用画像に対して浮き上がって見えることがある。
【０００６】
本発明は、前記問題に鑑みてなされたもので、被はめ込み用画像の一部（例えば、集合写真の背景の一部）にはめ込み用画像（例えば、欠席者の顔写真）を、はめ込む画像（例えば、欠席者）の数に拘わらず、はめ込むことができるとともに、はめ込み用画像の被はめ込み用画像との境界領域におけるジャギ（ギザギザ）の発生を抑制でき、これにより、はめ込み用画像の輪郭を滑らかにすることで、被はめ込み用画像に対するはめ込み用画像の浮き上がりを抑制できる写真処理装置を提供することを課題とする。
【０００７】
【課題を解決するための手段】
前記課題を解決するため本発明は、被はめ込み用の第１画像に対して、複数のはめ込み位置にそれぞれ対応する複数のはめ込み枠を含むテンプレートを作成するテンプレート作成手段と、前記第１画像及びはめ込み用の第２画像を読み取る読取手段と、前記読取手段にて読み取られた前記第１画像を記憶するとともに前記読取手段にて読み取られた前記第２画像を１又は２以上記憶する記憶手段と、前記記憶手段にて記憶された前記第２画像のそれぞれについて、前記はめ込み枠にはめ込むためのはめ込み領域を指定する画像領域指定手段と、前記記憶手段にて記憶された前記第１画像について、前記テンプレート作成手段にて作成された前記テンプレートのうち少なくとも一つの前記はめ込み枠に、前記記憶手段にて記憶され、前記画像領域指定手段にて指定された前記第２画像の前記はめ込み領域をはめ込み合成処理するとともに、前記テンプレートの前記はめ込み枠のうち、前記第２画像における前記はめ込み領域がはめ込まれない枠については、当該はめ込まれない枠内の前記第１画像をそのまま維持し、且つ、前記第１画像と前記第２画像の前記はめ込み領域との境界領域を半透明化合成処理する画像合成手段とを備えていることを特徴とする写真処理装置を提供する。
【０００８】
本発明に係る写真処理装置では、前記テンプレート作成手段において、被はめ込み用の第１画像に対して、複数のはめ込み位置にそれぞれ対応する複数のはめ込み枠を含むテンプレートが作成される。このテンプレートにおいて、前記はめ込み枠は、前記第１画像の所定の領域に設けてもよいし、画像領域全体にわたって設けてもよい。前記はめ込み枠の数に制限はなく、例えば、学校などの団体構成員の数程度（具体的には２０乃至３０程度）或いはそれ以上の前記複数のはめ込み枠を含む。このテンプレート作成手段では、前記はめ込み枠は、オペレータによって、四角形状、楕円形状等に任意の大きさに作成することができ、新規に所望のテンプレートが作成されてよもよいし、予め用意されたテンプレートについて、所望のテンプレートが作成されてもよい。また、テンプレートが複数作成されてもよい。
【０００９】
一方、前記読取手段において、前記第１画像及びはめ込み用の第２画像が読み取られ、前記読取手段にて読み取られた前記第１画像が前記記憶手段に記憶されるとともに前記読取手段にて読み取られた前記第２画像が前記記憶手段に１又は２以上記憶される。また、前記画像領域指定手段において、前記読取手段にて読み取られ、前記記憶手段にて記憶された前記第２画像のそれぞれについて、前記はめ込み枠にはめ込むためのはめ込み領域が指定される。
【００１０】
そして、前記画像合成手段において、前記読取手段にて読み取られ、前記記憶手段にて記憶された前記第１画像（例えば、集合写真）について、前記テンプレート作成手段にて作成された前記テンプレートのうち少なくとも一つの前記はめ込み枠に、前記記憶手段にて記憶され、前記画像領域指定手段にて指定された前記第２画像（例えば、欠席者の顔写真）の前記はめ込み領域がはめ込み合成処理される。このとき、前記テンプレートの前記はめ込み枠のうち、前記第２画像（例えば、欠席者の顔写真）における前記はめ込み領域がはめ込まれない枠については、当該はめ込まれない枠内の前記第１画像（例えば、集合写真の背景の一部）がそのまま維持される。従って、例えば、欠席者の数に合わせた枠が設けられた１名用のテンプレート、２名用のテンプレート、３名用のテンプレートといった複数のテンプレートを準備しなくてもよいし、また、集合写真における欠席者の写真がはめ込まれない枠において空白が生じることがない。かくして、はめ込む画像（例えば、欠席者）の数に拘わらず、前記第１画像（被はめ込み用画像）の一部（例えば、集合写真の背景の一部）に前記第２画像（はめ込み用画像）（例えば、欠席者の顔写真）がはめ込まれる。
【００１１】
また、前記画像合成手段においては、前記第１画像と前記第２画像の前記はめ込み領域との境界領域が半透明化合成処理される。こうすることで、前記第２画像（はめ込み用画像）の前記第１画像（被はめ込み用画像）との境界領域におけるジャギ（ギザギザ）の発生が抑制され、これにより、はめ込み用画像の輪郭が滑らかになることで、被はめ込み用画像に対するはめ込み用画像の浮き上がりが抑制される。
【００１２】
このように、本発明に係る写真処理装置によると、前記第１画像（被はめ込み用画像）の一部（例えば、集合写真の背景の一部）に前記第２画像（はめ込み用画像）（例えば、欠席者の顔写真）を、はめ込む画像（例えば、欠席者）の数に拘わらず、はめ込むことができるとともに、前記第２画像（はめ込み用画像）の前記第１画像（被はめ込み用画像）との境界領域におけるジャギ（ギザギザ）の発生を抑制でき、これにより、はめ込み用画像の輪郭を滑らかにすることで、被はめ込み用画像に対するはめ込み用画像の浮き上がりを抑制することができる。
【００１３】
前記画像合成手段において行われる前記半透明化合成処理としては、従来周知のアンチェイリアス処理を例示できる。前記半透明化合成処理では、例えば、前記第１画像（被はめ込み用画像）の前記第２画像（はめ込み用画像）との境界部分の画像情報を「白」、前記第２画像（はめ込み用画像）の前記第１画像（被はめ込み用画像）との境界部分の画像情報を「黒」とした場合、（「白」＋「黒」）／２＝「灰色」とすることで、前記第２画像（はめ込み用画像）の前記第１画像（被はめ込み用画像）との境界領域におけるジャギ（ギザギザ）を目立たなくすることができる。
【００１４】
【発明の実施の形態】
以下、本発明に係る実施の形態について図面を参照しながら説明する。図１は本発明に係る写真処理装置の一実施形態の全体概略図を示す。
【００１５】
図１に示す本写真処理装置Ａは、画像処理装置１と画像露光現像装置２とで構成されている。画像処理装置１は、カラーネガフィルムＦやカラーポジフィルムＦを走査し読み取るとともに読み取られた画像情報をデジタル変換してデジタル画像を取得する走査装置６２と、画像処理装置１の制御を含む本写真処理装置Ａ全体を制御する主制御装置９０とを備えている。主制御装置９０は、記憶手段９３を備えた制御部９１（後述する図２及び図３参照）、補助記憶装置９４（ここではハードディスク装置）、及びＣＤ−ＲＯＭや、デジタルカメラ等に用いるメモリカード等のメディアＭを読み取って読み取られた画像情報のデジタル画像を取得する情報再生装置９２を備えており、この情報再生装置９２と前記の走査装置６２とで画像情報を読み取る読取手段を構成している。この読取手段６２，９２では、例えば、欠席者のいる集合写真等の被はめ込み用第１画像、欠席者の顔写真等のはめ込み用第２画像とが読み取られる。
【００１６】
画像処理装置１は、前記の走査装置６２や情報再生装置９２にて読み取られた画像情報を表示する画像表示手段２０、画像表示手段２０の表示に基づきデータを入力する入力装置６をさらに備えている。この画像表示手段としては、ＣＲＴやＬＣＤ等の表示装置を用いることができ、画像表示手段２０は、ここではＣＲＴモニターである。入力装置６は、モニター２０に表示される表示画面に対してキー入力を行うキーボード６ａとモニター２０に表示される表示画面のマウス操作を行うマウス６ｂとで構成されている。また、画像露光現像装置２は、画像処理された画像情報に基づいて写真感光材料に露光処理を施す露光装置６３（図１では図示せず、後述する図２及び図３参照）と、露光装置６３で露光処理された感光材料に現像処理を施す現像処理装置６１（同じく図３参照）と、現像処理装置６１で現像処理が施された感光材料を乾燥する乾燥処理部４と、乾燥処理部４で乾燥された感光材料をオーダー、及びサイズ毎に仕分けて回収する回収部５とで構成されている。
【００１７】
前記のハードディスク装置９４は、後述する処理手段９５（図２参照）を実行するための処理プログラムが記録されているとともに、かかる処理手段９５の一部の文字入れ手段９９により作成される後述するフレーズ情報のデータベースを保存することができる。
【００１８】
図２に図１に示す写真処理装置Ａの制御部９１による制御を説明するための概略ブロック図を示す。
【００１９】
図２に示すように、制御部９１は、前記の走査装置６２、情報再生装置９２、モニター２０、ハードディスク装置９４及び露光装置６３に接続されており、既述のとおり、記憶手段９３を備えている。記憶手段９３は、ＲＡＭで構成されており、プログラムメモリ領域（図示省略）と、合成用メモリ領域９３ａ（図９参照）と、作業用メモリ領域９３ｂ（図９参照）とを有し、前記プログラムメモリ領域において、ハードディスク装置９４に記録された前記プログラム情報を読込むことができる。
【００２０】
走査装置６２は、既述したように、フィルムＦを走査し読み取して画像情報を取得するものであり、図示を省略した変換手段を含んでいる。走査装置６２は、通常は、カラーネガフィルムＦ等のカラー画像の各画素を青、緑及び赤の３原色に分解測光し、各画素ごとに青、緑及び赤の各光強度を色信号として色ごとに順番に読み出すカラースキャナ装置が用いられることが多い。前記の変換手段は、カラースキャナで走査読み取されたアナログ画素値をデジタル値に変換するものであり、よく知られたＡ／Ｄ変換装置が用いられる。
【００２１】
記憶手段９３はまた、前記の読取手段６２，９２にて読み取られた前記第１デジタル画像（被はめ込み画像）情報を記憶手段９３の合成用メモリ領域９３ａに記憶するとともに、前記第２デジタル画像（はめ込み画像）情報を記憶手段９３の作業用メモリ領域９３ｂに１又は２以上記憶することができる。
【００２２】
制御部９１は、記憶手段９３の前記プログラムメモリ領域に記憶された前記処理プログラムが実行される。この処理プログラムは、制御部９１を、テンプレート作成手段９６と、画像領域指定手段９７と、画像合成手段９８と、文字入れ手段９９とを含む手段９５として機能させるものである。
【００２３】
テンプレート作成手段９６では、前記第１画像（被はめ込み用画像）に対して、複数のはめ込み位置にそれぞれ対応する複数のはめ込み枠を含むテンプレートを作成する。画像領域指定手段９７では、記憶手段９３の作業用メモリ領域９３ｂにて記憶された前記第２画像（はめ込み用画像）について、前記はめ込み枠にはめ込むためのはめ込み領域を指定する。
【００２４】
画像合成手段９８では、記憶手段９３の合成用メモリ領域９３ａにて記憶された前記第１画像（被はめ込み用画像）について、テンプレート作成手段９６にて作成された前記テンプレートのうち少なくとも一つの前記はめ込み枠に、記憶手段９３にて記憶され、画像領域指定手段９７にて指定された前記第２画像（はめ込み用画像）の前記はめ込み領域をはめ込み合成処理するとともに、前記テンプレートの前記はめ込み枠のうち、前記第２画像（はめ込み用画像）における前記はめ込み領域がはめ込まれない枠については、当該はめ込まれない枠内の前記第１画像（被はめ込み用画像）をそのまま維持し、且つ、前記第１画像（被はめ込み用画像）と前記第２画像（はめ込み用画像）の前記はめ込み領域との境界領域を半透明化合成処理する。文字入れ手段９９は、例えば、写真画像の周縁部を枠や図柄等で縁取るフレームプリント等において、このフレームに文字入れを行うための手段である。前記の処理手段９６〜９９による動作についてはのちほど詳述する。
【００２５】
次に、図１に示す写真処理装置Ａの処理工程について図３を参照しながら説明する。図３に図１に示す写真処理装置Ａの処理工程を説明するための図を示す。
【００２６】
簡単に工程の流れを追いつつ主要構成を以下に説明する。なお、カラープリントを例にとって説明するが、モノクロプリントであっても同様の処理が行われる。
【００２７】
画像露光現像装置２は、前記した露光装置６３、現像処理装置６１、乾燥処理部４及び回収部５の他、搬送装置４３等を具備している。
【００２８】
画像処理装置１において、例えば、走査装置６２がカラーネガフィルムＦ等の画像情報を走査読み取りする。制御部９１では、前記処理プログラムによって画像処理が行われる。この処理プログラムにより、画像処理されたデジタル画像が露光データとして決定される。
【００２９】
画像露光現像装置２において、感光材料４０がマガジン４２から引き出され、搬送装置４３のうちのローラ等によって搬送される。感光材料は、例えば、定寸に切断され、露光装置部４１において、露光装置６３によって、感光材料４０が露光される。
【００３０】
現像処理装置６１では、感光材料４０に対して、現像、定着、水洗等の種々の化学的処理（薬液Ｑ等）が行われ、さらに乾燥処理部４では、乾燥処理が行われ、かかる一連の工程が自動的になされる。そして搬送装置４３は、これらの工程において感光材料４０を搬送する。回収部５では、図１に示すように、大判の感光材料４０はトレー５２に回収され、小判の感光材料４０は仕分部５４にてオーダー毎に仕分けられ、回収される。仕分部５４は、小判感光材料の排出方向に対して直交方向に移動するコンベア５５と、該コンベア５５によって運ばれてくる小判感光材料をオーダー毎に仕分ける仕分装置５６とで構成されている。仕分装置５６は、上下方向に移動可能に配設された複数の受け皿５７を備えており、該受け皿５７が上下方向に移動することで、コンベア５５によって搬送されてくる小判感光材料を各受け皿５７へオーダー毎に振り分けるように構成されている。
【００３１】
以上のような写真処理装置Ａ全体としての処理は主制御装置９０によって制御される。そして、この写真処理装置Ａでは、写真画像の周縁部を枠や図柄等で縁取るフレームプリントにおいて、このフレームに文字入れを行う文字入れ処理がなされたり、被はめ込み用画像の一部（例えば、集合写真の背景の一部）にはめ込み用画像（例えば、欠席者の顔写真）をはめ込む画像合成処理がなされたりする。
【００３２】
（文字入れ処理）
前記の文字入れ処理では、制御部９１による文字入れ手段９９によって、次のようにして文字が入れられる。図４に文字入れ処理のための文字入力画面１１がモニター２０に表示された状態を示す。また図５（Ａ）に図４に示す文字入力画面１１にて入力されたフレーズ情報の読み込み画面１９を示し、図５（Ｂ）に図５（Ａ）に示すフレーズ情報の属性等の条件を示す。
【００３３】
図４に示す文字入力画面１１は、文字ボックス作成部１２と文字入力部１３とを備え、「文字入力」ボタン１４、「フレーズ読み込み」ボタン１５、「フレーズ保存」ボタン１６、「ＯＫ」ボタン１７及び「キャンセル」ボタン１８が設けられている。
【００３４】
文字ボックス作成部１２では、マウス６ｂ（図１参照）のマウス操作により、文字入力のための文字ボックス１２ａを作成できるようになっている。文字入力部１３では、文字入力を行うことができるとともに、文字入力された文字の属性を設定できるようになっている。文字入力部１３で文字入力された場合、「フレーズ保存」ボタン１６がクリックされることで、文字入力部１３で文字入力された文字をその属性等の条件とともに一つのフレーズとしてハードディスク装置９４のフレーズ情報のデータベースに登録することができる。また、「フレーズ読み込み」ボタン１５がクリックされることで、ハードディスク装置９４に登録されているフレーズ情報のデータベースから過去に入力された文字をその属性等の条件とともに読み出すことができる。
【００３５】
図６（Ａ）に文字入力部１３で文字入力された文字をハードディスク装置９４のフレーズ情報データベースに登録する場合の処理の流れを示すフローチャートを示し、図６（Ｂ）にハードディスク装置９４に登録されているフレーズ情報データベースから過去に入力された文字を読み出す場合の処理の流れを示すフローチャートを示す。
【００３６】
図６（Ａ）に示すように、文字を登録する場合、先ず、図４に示す文字入力画面１１の文字入れ領域１３ａにおいて、キーボード６ａ（図１参照）等の文字入れ機能を使用して文字が入力され（ステップＳ１）、次いで、文字入れ領域１３ａの下方に設けられた文字／背景色、文字フォント、ボールド／イタリック／アンダーライン等の属性、文字サイズ、縦書き／横書きなどの各種条件が設定され（ステップＳ２）、さらに「フレーズ保存」ボタン１６がクリックされて、文字入れ領域１３ａで文字入力された文字がその属性等の条件とともに一つのフレーズとしてハードディスク装置９４のフレーズ情報データベースに保存される（ステップＳ３）。
【００３７】
一方、文字を読み出す場合には、図６（Ｂ）に示すように、図４に示す文字入力画面１１の「文字入力」ボタン１４がマウス６ｂにてクリックされた後、文字ボックス作成部１２において、マウス６ｂによりクリックしたポイントからポインタをクリックしたまま移動させることによって、文字入力のための文字ボックス１２ａが作成され（ステップＳ１’）、そこに“文字を入力してください”というメッセージが表示される。
【００３８】
このとき、「フレーズ読み込み」ボタン１５がクリックされると、ハードディスク装置９４に登録されているフレーズ情報データベースから過去に入力された文字が読み出され、図５（Ａ）に示すようなフレーズ情報の読み込み画面１９が表示される（ステップＳ２’）。この画面１９では、過去に入力された各文字列がそれぞれ一つのフレーズとして表示される。なお、ここでのフレーズとは、図５（Ｂ）に示すように、通し番号、入力文字列、使用日、文字／背景色、文字フォント、ボールド／イタリック／アンダーライン等の属性、文字サイズ、縦書き／横書き、登録日、その他文字入れ画面１１で設定可能な項目、文字領域のサイズを含んだものである。前記の文字／背景色については、図５（Ａ）及び図５（Ｂ）に示すように、図形（図示例では、色分けされた“円形”／色分けされた“矩形”）で表現することで、限られたスペース画面の中でも視認性の良いものとしている。また、言うまでもないが、新規で入力する場合等、過去の文字情報が保存されていないときは、画面１９のフレーズ情報の表示欄１９ａには何も表示されない。
【００３９】
この画面１９では、所望の文字列を検索できるようになっており、検索文字入力蘭１９ｂに検索したい文字列（１文字を含む）がキーボード６ａ等で入力され、「検索」ボタン１９ｃがクリックされると、検索文字入力蘭１９ｂに入力された文字列を含むフレーズが抽出され、その抽出結果（リスト）がフレーズ情報の表示欄１９ａに表示される（ステップＳ３’）。なお、検索途中で検索を中止できるようになっており、「取り消し」ボタン１９ｄがクリックされると、検索動作が中止される。
【００４０】
また、フレーズ情報の表題１９ａ’（例えば、入力文字列）がクリックされる毎に、その表題（例えば、入力文字列）をキーとして昇順又は降順にフレーズ情報が並び替えられる。こうすることでも、所望の文字列を検索することができる。
【００４１】
そして、所望の文字列が見つかると、そのフレーズ情報がクリックされ、選択される（ステップＳ４’）。図５（Ａ）の例では、通し番号４番目のフレーズ情報が選択されている状態を示している。ここで、「ＯＫ」ボタン１９ｆがクリックされると、当該選択されたフレーズ情報が読み込まれ、図４に示す文字入力画面１１の文字ボックス１２ａ及び文字入れ領域１３ａに表示される。なお、図５（Ａ）に示すフレーズ情報の読み込み画面１９において、フレーズ情報が選択された状態で、「削除」ボタン１９ｅがクリックされると、当該選択されたフレーズ情報がハードディスク装置９４のフレーズ情報データベースから削除される。また、画面１９において、「キャンセル」ボタン１９ｇがクリックされると、前画面（文字入力画面１１）に戻る。
【００４２】
図４に示す文字入力画面１１では、フレーズ情報が読み込まれた状態で、「ＯＫ」ボタン１７がクリックされると、文字入れ処理が完了し（ステップＳ５’）、次の工程に移行する。図７にフレームプリントにおいて文字入れされた文字列の一例を示す。なお、図４に示す文字入力画面１１において、図５（Ａ）に示す画面１９で読み込まれたフレーズ情報は、「ＯＫ」ボタン１７のクリックに先立って、文字入れ部１３の文字入れ領域１３ａで変更することができ、さらに変更されたフレーズ情報は、「フレーズ保存」ボタン１６がクリックされることで、ハードディスク装置９４のフレーズ情報のデータベースに追加登録される。また、画面１１において、「キャンセル」ボタン１８がクリックされると、前画面（前工程の画面）に戻る。
【００４３】
このようにして、図４に示す文字入力画面１１において、文字入れされたフレーズ情報がハードディスク装置９４のデータベースに保存されることで、さらに言えば、入力文字列とその属性等の条件の内容が、フレーズという、まとまったデータの形で保存され、管理されることで、簡単、容易にその入力文字列を呼び出して再利用することができる。また、入力文字列とともにその属性等の条件が保存されるので、この保存された入力文字列や属性等の条件のうち一部のみが異なっているような場合には、当該保存された入力文字列や属性等の条件の一部だけを変更することができ、後からの変更が容易なものとなる。場合によっては、ほとんどフレーズ情報を変更することなく文字入れを行うことができる。これにより、各種属性等の条件設定の容易化が実現され、ひいては、文字入れに対する工数削減を期待することができる。さらに、汎用性のあるフレーズ情報が作成されることで、文字入れ作業を幅広く効率的に行うことができる。
【００４４】
（画像合成処理）
次に画像合成処理について説明する。図８はテンプレート作成手段９６にて作成されたテンプレートの一例９６ａを示す図であり、図９は画像合成処理を説明するための図である。
【００４５】
図１に示す写真処理装置Ａでは、テンプレート作成手段９６において、被はめ込み用の第１画像Ｘに対して、図８に示すように、複数のはめ込み位置にそれぞれ対応する複数のはめ込み枠９６ａ’を含むテンプレート９６ａが作成される。このテンプレート９６ａにおいて、はめ込み枠９６ａ’は、図示例では、第１画像Ｘの所定の領域に設けてあるが、画像領域全体にわたって設けてもよい。はめ込み枠９６ａの数に制限はなく、例えば、学校などの団体構成員の数程度（図示例では、７６個）のはめ込み枠９６ａ’を含んでいる。このテンプレート作成手段９６では、はめ込み枠９６ａ’は、ここでは、オペレータによって、楕円形状に任意の大きさに作成されている。
【００４６】
一方、読取手段６２，９２において、先ず、図９に示すように、第１画像Ｘ及びはめ込み用の第２画像Ｙ１，Ｙ２が読み取られ（図９中（１）参照）、読取手段６２，９２にて読み取られた第１画像Ｘが記憶手段９３（ここでは、記憶手段９３のうちの合成用メモリ９３ａ）に記憶されるとともに（図９中（２）参照）読取手段６２，９２にて読み取られた二つの第２画像Ｙ１，Ｙ２が記憶手段９３（ここでは、記憶手段９３のうちの作業用メモリ９３ｂ）に記憶される（図９中（３）参照）。このとき、図示を省略したが、モニター２０の表示画面上には第１画像Ｘ及び第２画像Ｙ１，Ｙ２が表示される。次いで、画像領域指定手段９７において、読取手段６２，９２にて読み取られ、記憶手段９３にて記憶された第２画像Ｙ１，Ｙ２のそれぞれについて、図８に示すはめ込み枠９６ａ’にはめ込むためのはめ込み領域Ｙ１’，Ｙ２’が指定される（図９中（３）参照）。具体的には、前記処理プログラムが、第２画像Ｙ１，Ｙ２の座標を計算し、はめ込み枠９６ａ’との位置から計算を行い、さらに第１画像Ｘの大きさと、はめ込み位置を計算して、第２画像Ｙ１，Ｙ２のはめ込み領域Ｙ１’，Ｙ２’以外の部分を透明処理する。
【００４７】
そして、画像合成手段９８において、読取手段６２，９２にて読み取られ、記憶手段９３にて記憶された第１画像Ｘ（例えば、集合写真）について、テンプレート作成手段９６にて作成されたテンプレート９６ａのうち少なくとも一つ（ここでは、二つ）のはめ込み枠９６ａ’に、記憶手段９３にて記憶され、画像領域指定手段９７にて指定された第２画像Ｙ１，Ｙ２（例えば、欠席者の顔写真）のはめ込み領域Ｙ１’，Ｙ２’が、マウス６ｂによってドラッグアンドドロップされることで、はめ込み枠９６ａ’に合うように、はめ込み合成処理される。例えば、はめ込み領域Ｙ１’，Ｙ２’  がはめ込み枠９６ａ’より大きいときは、はめ込み領域Ｙ１’，Ｙ２’  は、はめ込み枠９６ａ’に合うように縮小され、はめ込み領域Ｙ１’，Ｙ２’  がはめ込み枠９６ａ’より小さいときは、はめ込み領域Ｙ１’，Ｙ２’  は、はめ込み枠９６ａ’に合うように拡大され、合成される。なお、本例のように、はめ込み領域Ｙ１’，Ｙ２’をマウス６ｂによってドラッグアンドドロップすることで、はめ込み枠９６ａ’にはめ込み合成処理してもよいが、はめ込み領域Ｙ１’，Ｙ２’に対応して、はめ込まれるべきはめ込み枠９６ａ’を予め設定しておくことで、はめ込み領域Ｙ１’，Ｙ２’を自動的に、はめ込み枠９６ａ’に当てはめて、はめ込んでいくことで、はめ込み合成処理してもよい。
【００４８】
このとき、テンプレート９６ａのはめ込み枠９６ａ’のうち、第２画像Ｙ１，Ｙ２（例えば、欠席者の顔写真）におけるはめ込み領域Ｙ１’，Ｙ２’がはめ込まれない枠については、当該はめ込まれない枠内の第１画像Ｘ（例えば、集合写真の背景の一部）がそのまま維持される。従って、例えば、欠席者の数に合わせた枠が設けられた１名用のテンプレート、２名用のテンプレート、３名用のテンプレートといった複数のテンプレートを準備しなくてもよいし、また、集合写真における欠席者の写真がはめ込まれない枠において空白が生じることがない。かくして、はめ込む画像Ｙ１’，Ｙ２’（例えば、欠席者）の数に拘わらず、第１画像（被はめ込み用画像）Ｘの一部（例えば、集合写真の背景の一部）に第２画像（はめ込み用画像）Ｙ１，Ｙ２（例えば、欠席者の顔写真）がはめ込まれる（図９中（４）参照）。
【００４９】
また、画像合成手段９８においては、第１画像Ｘと第２画像Ｙ１，Ｙ２のはめ込み領域Ｙ１’，Ｙ２’との境界領域Ｐが半透明化合成処理される。図１０に第１画像Ｘと第２画像Ｙ１のはめ込み領域Ｙ１’との境界領域Ｐ部分を拡大して示す。なお、第１画像Ｘと第２画像Ｙ２のはめ込み領域Ｙ２’との境界領域部分も図１０に示すものと同様であり、ここでは図示を省略してある。
【００５０】
この半透明化合成処理は、ここでは、従来周知のアンチェイリアス処理を行う。例えば、第１画像（被はめ込み用画像）Ｘの第２画像（はめ込み用画像）Ｙ１，Ｙ２との境界部分のデジタル画像情報を「白」、第２画像（はめ込み用画像）Ｙ１，Ｙ２の第１画像（被はめ込み用画像）Ｘとの境界部分のデジタル画像情報を「黒」とした場合、（「白」＋「黒」）／２＝「灰色」とすることで、第２画像（はめ込み用画像）Ｙ１，Ｙ２の第１画像（被はめ込み用画像）Ｘとの境界領域Ｐにおけるジャギ（ギザギザ）を目立たなくすることができる。かくして、第２画像（はめ込み用画像）Ｙ１，Ｙ２の第１画像（被はめ込み用画像）Ｘとの境界領域Ｐにおけるジャギ（ギザギザ）の発生が抑制され、これにより、はめ込み用画像Ｙ１，Ｙ２の輪郭が滑らかになることで、被はめ込み用画像Ｘに対するはめ込み用画像の浮き上がりが抑制される。
【００５１】
このように、図１に示す写真処理装置Ａによると、第１画像（被はめ込み用画像）Ｘの一部（例えば、集合写真の背景の一部）に第２画像（はめ込み用画像）Ｙ１，Ｙ２（例えば、欠席者の顔写真）を、はめ込む画像Ｙ１，Ｙ２（例えば、欠席者）の数に拘わらず、はめ込むことができるとともに、第２画像（はめ込み用画像）Ｙ１，Ｙ２の第１画像（被はめ込み用画像）Ｘとの境界領域Ｐにおけるジャギ（ギザギザ）の発生を抑制でき、これにより、はめ込み用画像Ｙ１，Ｙ２の輪郭を滑らかにすることで、被はめ込み用画像Ｘに対するはめ込み用画像Ｙ１，Ｙ２の浮き上がりを抑制することができる。
【００５２】
なお、制御部９１にて画像合成処理された画像データは画像露光現像装置２に送られ、かかる画像データに基づいて、露光装置６３にて写真感光材料４０に露光するのであるが、この画像合成処理は、機械的に行うのではなく、制御部９１の記憶手段９３上で行うので、露光装置６３による露光は１回で完了することができ、これにより、機械的誤差などが発生することがない。
【００５３】
【発明の効果】
以上説明したように本発明によると、被はめ込み用画像の一部（例えば、集合写真の背景の一部）にはめ込み用画像（例えば、欠席者の顔写真）を、はめ込む画像（例えば、欠席者）の数に拘わらず、はめ込むことができるとともに、はめ込み用画像の被はめ込み用画像との境界領域におけるジャギ（ギザギザ）の発生を抑制でき、これにより、はめ込み用画像の輪郭を滑らかにすることで、被はめ込み用画像に対するはめ込み用画像の浮き上がりを抑制できる写真処理装置を提供することができる。
【図面の簡単な説明】
【図１】本発明に係る写真処理装置の一実施形態の全体概略図である。
【図２】図１に示す写真処理装置の制御部による制御を説明するための概略ブロック図である。
【図３】図１に示す写真処理装置の処理工程を説明するための図である。
【図４】文字入れ処理のための文字入力画面がモニター２０に表示された状態を示す図である。
【図５】図（Ａ）は図４に示す文字入力画面にて入力されたフレーズ情報の読み込み画面を示す図であり、図（Ｂ）は図（Ａ）に示すフレーズ情報の属性等の条件を示す図である。
【図６】図（Ａ）は文字入力部で文字入力された文字をハードディスク装置のフレーズ情報データベースに登録する場合の処理の流れを示すフローチャートであり、図（Ｂ）はハードディスク装置に登録されているフレーズ情報データベースから過去に入力された文字を読み出す場合の処理の流れを示すフローチャートである。
【図７】フレームプリントにおいて文字入れされた文字列の一例を示す図である。
【図８】
テンプレート作成手段にて作成されたテンプレートの一例を示す図である。
【図９】画像合成処理を説明するための図である。
【図１０】第１画像と第２画像のはめ込み領域との境界領域部分の拡大図である。
【符号の説明】
６２，９２…読取手段  ９３…記憶手段  ９６…テンプレート作成手段
９６ａ’…はめ込み枠  ９６ａ…テンプレート  ９７…画像領域指定手段
９８…画像合成手段  Ａ…写真処理装置  Ｐ…境界領域  Ｘ…第１画像
Ｙ…第２画像  Ｙ１’，Ｙ２’…はめ込み領域
【図１】
2005033532.tif 000003
【図２】
2005033532.tif 000004
【図３】
2005033532.tif 000005
【図４】
2005033532.tif 000006
【図５】
2005033532.tif 000007
【図６】
2005033532.tif 000008
【図７】
2005033532.tif 000009
【図８】
2005033532.tif 000010
【図９】
2005033532.tif 000011
【図１０】
2005033532.tif 000012